(57)【要約】【課題】本発明は電気二重層キャパシタパッケージ及びその製造方法に関する。【解決手段】本発明の一実施形態による電気二重層キャパシタパッケージは内部に収納空間を有し、絶縁性樹脂から成る外装ケースと、上記外装ケースに埋め込まれ、それぞれ上記収納空間に露出する第１面と上記外装ケースの外部領域に露出する第２面を有する第１及び第２外部端子と、上記収納空間に離隔されて配置される、上記第１外部端子と連結される第１キャパシタセルと上記第２外部端子と連結される第２キャパシタセルと、上記第１及び第２キャパシタセルを直列連結する直列連結用内部端子とを含む。【選択図】図１ｂ
2011243944.tif 000002
【特許請求の範囲】
【請求項１】
内部に収納空間を有し、絶縁性樹脂から成る外装ケースと、
上記外装ケースに埋め込まれ、上記収納空間に露出する第１面と上記外装ケースの外部領域に露出する第２面をそれぞれが有する第１外部端子及び第２外部端子と、
上記収納空間に離隔されて配置される、上記第１外部端子と連結される第１キャパシタセルと、
上記収納空間に離隔されて配置される、上記第２外部端子と連結される第２キャパシタセルと、
上記第１キャパシタセル及び上記第２キャパシタセルを直列連結する直列連結用内部端子と、
を含む電気二重層キャパシタパッケージ。
【請求項２】
上記第１外部端子及び第２外部端子はインサート射出成形により上記外装ケースに埋め込まれる、請求項１に記載の電気二重層キャパシタパッケージ。
【請求項３】
上記外装ケースは上記収納空間を第１収納空間と第２収納空間とに区切る隔壁をさらに含み、上記第１キャパシタセルは上記第１収容空間に配置され、上記第２キャパシタセルは上記第２収納空間に配置される、請求項１または２に記載の電気二重層キャパシタパッケージ。
【請求項４】
上記第１外部端子及び上記第２外部端子は上記外装ケースのうち下面と定義される一面に形成される、請求項１から３の何れか１項に記載の電気二重層キャパシタパッケージ。
【請求項５】
上記直列連結用内部端子は上記収納空間のうち上面と定義される一面に形成される、請求項１から４の何れか１項に記載の電気二重層キャパシタパッケージ。
【請求項６】
上記第１キャパシタセル及び上記第２キャパシタセルはそれぞれ第１電極及び第２電極と、上記第１電極及び上記第２電極の間に配置された分離膜を含み、上記直列連結用内部端子は上記第１キャパシタセルの第２電極と上記第２キャパシタセルの第１電極を直列連結する、請求項１から５の何れか１項に記載の電気二重層キャパシタパッケージ。
【請求項７】
上記外装ケースは上面が開放された収納空間を有し、上記第１外部端子及び上記第２外部端子が埋め込まれた下部ケース及び上記収納空間を覆うように上記下部ケースに装着された上部キャップから成る、請求項１から６の何れか１項に記載の電気二重層キャパシタパッケージ。
【請求項８】
上記直列連結用内部端子は上記上部キャップに形成された、請求項７に記載の電気二重層キャパシタパッケージ。
【請求項９】
上記第１キャパシタセル及び上記第２キャパシタセルはそれぞれ第１電極及び第２電極と、上記第１電極及び上記第２電極の間に配置される分離膜を含み、上記第１キャパシタセルの第１電極は上記第１外部端子と電気的に連結され、上記第２キャパシタセルの第２電極は上記第２外部端子と電気的に連結される、請求項１から８の何れか１項に記載の電気二重層キャパシタパッケージ。
【請求項１０】
上記第１キャパシタセルは第１電極及び第２電極と、上記第１電極及び上記第２電極の間に配置される分離膜と、上記第１電極と電気的に連結される第１集電体を含み、上記第１集電体は上記第１外部端子と電気的に連結される、請求項１から９の何れか１項に記載の電気二重層キャパシタパッケージ。
【請求項１１】
上記第２キャパシタセルは第１電極及び第２電極と、上記第１電極及び上記第２電極の間に配置される分離膜と、上記第２電極と電気的に連結される第２集電体を含み、上記第２集電体は上記第２外部端子と電気的に連結される、請求項１から１０の何れか１項に記載の電気二重層キャパシタパッケージ。
【請求項１２】
開放された収納空間を有し、上記収納空間に露出する第１面と外部領域に露出する第２面を有するように第１外部端子及び第２外部端子が埋め込まれた下部ケースを形成する段階と、
上記収納空間に、上記第１外部端子と電気的に連結される第１キャパシタセルと上記第２外部端子と電気的に連結される第２キャパシタセルを離隔して配置する段階と、
上記第１キャパシタセルと上記第２キャパシタセルを直列連結する直列連結用内部端子を形成する段階と、
上記収納空間を覆うように上部キャップを上記下部ケース上に装着する段階と、
を含む電気二重層キャパシタパッケージの製造方法。
【請求項１３】
上記下部ケースの形成はインサート射出成形により行われる、請求項１２に記載の電気二重層キャパシタパッケージの製造方法。
【請求項１４】
上記下部ケースを形成する段階は上記収納空間を第１収納空間と第２収納空間とに区切る隔壁を形成する段階をさらに含む、請求項１２または１３に記載の電気二重層キャパシタパッケージの製造方法。
【請求項１５】
上記直列連結用内部端子は上部キャップ上に形成され、上記上部キャップの装着により上記第１キャパシタセル及び上記第２キャパシタセルに形成される、請求項１２から１４の何れか１項に記載の電気二重層キャパシタパッケージの製造方法。
【請求項１６】
上記第１キャパシタセル及び上記第２キャパシタセルはそれぞれが、第１電極及び第２電極と、上記第１電極及び上記第２電極の間に分離膜を配置して設け、上記直列連結用内部端子は上記第１キャパシタの第２電極と上記第２キャパシタの第１電極を直列連結するように形成される、請求項１２から１５の何れか１項に記載の電気二重層キャパシタパッケージの製造方法。
【請求項１７】
上記第１キャパシタセル及び上記第２キャパシタセルはそれぞれが、第１電極及び第２電極と、上記第１電極及び上記第２電極の間に分離膜を配置して設け、上記第１キャパシタの第１電極は上記第１外部端子と電気的に連結され、上記第２キャパシタの第２電極は上記第２外部端子と電気的に連結されるように配置される、請求項１２から１６の何れか１項に記載の電気二重層キャパシタパッケージの製造方法。
【請求項１８】
上記第１キャパシタセルは第１電極及び第２電極と、上記第１電極と電気的に連結される第１集電体と、上記第１電極及び上記第２電極の間に分離膜を配置して設け、上記第１集電体は上記第１外部端子と電気的に連結されるように配置される、請求項１２から１７の何れか１項に記載の電気二重層キャパシタパッケージの製造方法。
【請求項１９】
上記第２キャパシタセルは第１電極及び第２電極と、上記第２電極と電気的に連結される第２集電体と、上記第１電極及び上記第２電極の間に分離膜を配置して設け、上記第２集電体は上記第２外部端子と電気的に連結されるように配置される、請求項１２から１８の何れか１項に記載の電気二重層キャパシタパッケージの製造方法。
【発明の詳細な説明】
【技術分野】
【０００１】
本発明は電気二重層キャパシタパッケージ及びその製造方法に関し、より具体的には耐電圧及び動作電圧が増加した電気二重層キャパシタパッケージ及びその製造方法に関する。
【背景技術】
【０００２】
電気二重層キャパシタ（ＥＤＬＣ；Ｅｌｅｃｔｒｉｃ  Ｄｏｕｂｌｅ  Ｌａｙｅｒ  Ｃａｐａｃｉｔｏｒ）は分離膜を介して陽極と陰極の２つの電極を対向するように配置し、対向面にそれぞれ符号の異なる一対の電荷層（電気二重層）が生成されたことを利用したエネルギー保存装置である。
【０００３】
電気二重層キャパシタは各種電気・電子機器の補助電源、ＩＣバックアップ電源などに主に用いられており、最近では玩具、産業用電源、ＵＰＳ（ＵＮＩＮＴＥＲＲＵＰＴＥＤ  ＰＯＷＥＲ  ＳＵＰＰＬＹ）、太陽熱エネルギー保存、ＨＥＶ／ＥＶ  ＳＵＢ  ＰＯＷＥＲなどまで幅広く応用されている。
【０００４】
電気二重層キャパシタは、一般的にケース内に単位セルを内蔵してから電解質を収容して製作される。このとき、単位セルは一対の電極と分離膜が積層されて構成される。
【０００５】
一対の電極は外部から印加される電気の符号により陽極（＋）または陰極（−）にその符号が決まり、このような一対の電極には外部から電気を印加するための端子が引き出されている。
【０００６】
一対の電極にはそれぞれ陽電荷（＋）と陰電荷（−）が分極され、一つの単位セルには２ヶ所に電荷層（電気二重層）が生成される。
【０００７】
しかし、従来の単位セルは耐電圧（Ｓｕｒｇｅ  Ｖｏｌｔａｇｅ）が３．０Ｖ以下、一般的には動作電圧（Ｏｐｅｒａｔｉｎｇ  Ｖｏｌｔａｇｅ）が２．３Ｖから２．７Ｖと低く、実際の電子製品に適用するための動作電圧を有するためには、２つ以上の電気二重層キャパシタを直列に連結して使用した。
【０００８】
しかし、２つ以上の電気二重層キャパシタを外部直列連結を通じて動作電圧を増加させる場合には、必然的に発生する各電気二重層キャパシタ間のバランス問題を解決しなければならない。具体的に、各電気二重層キャパシタの容量、等価直列抵抗（ＥＳＲ）、漏れ電流などを考慮し、キャパシタの全動作電圧が一つの電気二重層キャパシタに集中しないように抵抗、ダイオード、その他ＩＣなどの電圧バランス保護回路が必要となる。
【０００９】
しかし、反復サイクルにより電気二重層キャパシタ間の電圧均衡が崩れ、何れか１つの電気二重層キャパシタに高い電圧がかかるという問題点がある。これは結局、電解質物質が分解（３．０Ｖ以上の電圧が印加される場合、電解質が分解される）され、内部抵抗が増加し、静電容量の低下などの問題点を引き起こす。
【発明の概要】
【発明が解決しようとする課題】
【００１０】
本発明は上記のような問題点を解決するためのもので、本発明の目的は耐電圧及び動作電圧が増加した電気二重層キャパシタパッケージ及びその製造方法を提供することである。
【課題を解決するための手段】
【００１１】
本発明の一実施形態は、内部に収納空間を有し、絶縁性樹脂から成る外装ケースと、上記外装ケースに埋め込まれ、それぞれ上記収納空間に露出する第１面と上記外装ケースの外部領域に露出する第２面を有する第１及び第２外部端子と、上記収納空間に離隔されて配置される、上記第１外部端子と連結される第１キャパシタセルと上記第２外部端子と連結される第２キャパシタセルと、上記第１及び第２キャパシタセルを直列連結する直列連結用内部端子とを含む電気二重層キャパシタパッケージを提供する。
【００１２】
上記第１及び第２外部端子は、インサート射出成形により上記外装ケースに埋め込まれることができる。
【００１３】
上記外装ケースは、上記収納空間を第１及び第２収納空間に区切る隔壁をさらに含み、上記第１及び第２キャパシタセルはそれぞれ上記第１及び第２収納空間に配置されることができる。
【００１４】
上記第１及び第２外部端子は、上記外装ケースのうち下面と定義される一面に形成されることができる。
【００１５】
上記直列連結用内部端子は、上記収納空間のうち上面と定義される一面に形成されることができる。
【００１６】
上記第１及び第２キャパシタセルはそれぞれ第１及び第２電極と、上記第１及び第２電極の間に配置された分離膜を含み、上記直列連結用内部端子は上記第１キャパシタセルの第２電極と上記第２キャパシタセルの第１電極を直列連結することができる。
【００１７】
上記外装ケースは上面が開放された収納空間を有し、第１及び第２外部端子が埋め込まれた下部ケース及び上記収納空間を覆うように上記下部ケースに装着された上部キャップから成ることができる。
【００１８】
上記直列連結用内部端子は、上記上部キャップに形成されることができる。
【００１９】
上記第１及び第２キャパシタセルはそれぞれ第１及び第２電極と、上記第１及び第２電極の間に配置される分離膜を含み、上記第１キャパシタセルの第１電極は上記第１外部端子と電気的に連結され、上記第２キャパシタセルの第２電極は上記第２外部端子と電気的に連結されることができる。
【００２０】
上記第１キャパシタセルは第１及び第２電極と、上記第１及び第２電極の間に配置される分離膜と、上記第１電極と電気的に連結される第１集電体を含み、上記第１集電体は上記第１外部端子と電気的に連結されることができる。
【００２１】
上記第２キャパシタセルは第１及び第２電極と、上記第１及び第２電極の間に配置される分離膜と、上記第２電極と電気的に連結される第２集電体を含み、上記第２集電体は上記第２外部端子と電気的に連結されることができる。
【００２２】
本発明の他の実施形態は開放された収納空間を有し、上記収納空間に露出する第１面と外部領域に露出する第２面を有するように第１及び第２外部端子が埋め込まれた下部ケースを形成する段階と、上記収納空間に、上記第１外部端子と電気的に連結される第１キャパシタセルと上記第２外部端子と電気的に連結される第２キャパシタセルを離隔して配置する段階と、上記第１キャパシタセルと上記第２キャパシタセルを直列連結する直列連結用内部端子を形成する段階と、上記収納空間を覆うように上部キャップを上記下部ケース上に装着する段階とを含む電気二重層キャパシタパッケージの製造方法を提供する。
【００２３】
上記下部ケースの形成は、インサート射出成形により行われることができる。
【００２４】
上記下部ケースを形成する段階は、上記収納空間を第１及び第２収納空間に区切る隔壁を形成する段階をさらに含むことができる。
【００２５】
上記直列連結用内部端子は上部キャップ上に形成され、上記上部キャップの装着により上記第１及び第２キャパシタセルに形成されることができる。
【００２６】
上記第１及び第２キャパシタセルはそれぞれ第１及び第２電極と上記第１及び第２電極の間に分離膜を配置して設け、上記直列連結用内部端子は上記第１キャパシタの第２電極と上記第２キャパシタの第１電極を直列連結するように形成されることができる。
【００２７】
上記第１及び第２キャパシタセルはそれぞれ第１及び第２電極と、上記第１及び第２電極の間に分離膜を配置して設け、上記第１キャパシタの第１電極は上記第１外部端子と電気的に連結され、上記第２キャパシタの第２電極は上記第２外部端子と電気的に連結されるように配置されることができる。
【００２８】
上記第１キャパシタセルは第１及び第２電極と、上記第１電極と電気的に連結される第１集電体と、上記第１及び第２電極の間に分離膜を配置して設け、上記第１集電体は上記第１外部端子と電気的に連結されるように配置されることができる。
【００２９】
上記第２キャパシタセルは第１及び第２電極と、上記第２電極と電気的に連結される第２集電体と、上記第１及び第２電極の間に分離膜を配置して設け、上記第２集電体は上記第２外部端子と電気的に連結されるように配置されることができる。
【発明の効果】
【００３０】
本発明による電気二重層キャパシタパッケージは１つのパッケージ内でキャパシタセル間の直列連結が可能である。これにより、電気二重層キャパシタの耐電圧及び動作電圧が増加することができる。
【００３１】
また、本発明による電気二重層キャパシタパッケージは外装ケースと外部端子が一体に形成され空間活用度が高い。また、電気二重層キャパシタパッケージは追加構造物なしにその構造自体で表面実装（ＳＭＴ）が可能である。
【図面の簡単な説明】
【００３２】
【図１ａ】本発明の一実施形態による電気二重層キャパシタパッケージを示す概略的な斜視図である。
【図１ｂ】図１ａのＩ−Ｉ'に沿って切開した電気二重層キャパシタパッケージを示す概略的な断面図である。
【図２】本発明の一実施形態による第１及び第２外部端子を示す概略的な斜視図である。
【図３ａ】本発明の一実施形態による下部ケースを概略的に示す上部平面図である。
【図３ｂ】本発明の一実施形態による上部キャップを概略的に示す断面図である。
【図３ｃ】図３ｂに図示された上部キャップの下部平面図である。
【図４ａ】本発明の一実施形態による電気二重層キャパシタパッケージの製造方法を説明するための工程別断面図である。
【図４ｂ】本発明の一実施形態による電気二重層キャパシタパッケージの製造方法を説明するための工程別断面図である。
【図４ｃ】本発明の一実施形態による電気二重層キャパシタパッケージの製造方法を説明するための工程別断面図である。
【発明を実施するための形態】
【００３３】
以下、添付の図面を参照して本発明の好ましい実施形態を説明する。
【００３４】
しかし、本発明の実施形態は様々な他の形態に変形されることができ、本発明の範囲は以下で説明する実施形態に限定されない。また、本発明の実施形態は当業界で平均的な知識を有する者に本発明をより完全に説明するために提供されるものである。従って、図面における要素の形状及び大きさなどはより明確な説明のために誇張されることがあり、図面上に同じ符号で表示される要素は同じ要素である。
【００３５】
図１ａは本発明の一実施形態による電気二重層キャパシタパッケージを示す概略的な斜視図であり、図１ｂは図１ａのＩ−Ｉ'に沿って切開した電気二重層キャパシタパッケージを示す概略的な断面図である。
【００３６】
図２は本発明の一実施形態による第１及び第２外部端子を示す概略的な斜視図である。
【００３７】
図３ａは本発明の一実施形態による下部ケースを概略的に示す上部平面図であり、図３ｂは本発明の一実施形態による上部キャップを概略的に示す断面図であり、図３ｃは図３ｂに図示された上部キャップの下部平面図である。
【００３８】
図１ａ及び図１ｂを参照すると、本実施形態による電気二重層キャパシタパッケージは内部に収納空間を有し、絶縁性樹脂から成る外装ケース１０と、上記外装ケース１０の収納空間に離隔されて配置される第１及び第２キャパシタセル２０、３０と、上記第１及び第２キャパシタセルを直列連結する直列連結用内部端子１２を含む。
【００３９】
上記外装ケース１０には、第１及び第２外部端子１１ａ、１１ｂが埋め込まれている。第１及び第２外部端子１１ａ、１１ｂはインサート射出成形により上記外装ケースに埋め込まれることができる。
【００４０】
上記第１及び第２外部端子１１ａ、１１ｂは上記外装ケース１０に埋め込まれたもので、上記第１及び第２外部端子１１ａ、１１ｂはそれぞれ上記収納空間に露出する第１面１１ａ−１、１１ｂ−１と上記外装ケースの外部領域に露出する第２面１１ａ−２、１１ｂ−２を有する。上記第１及び第２外部端子１１ａ、１１ｂは上記外装ケース１０の外部領域と上記収納空間を連結する構造である。
【００４１】
上記第１及び第２外部端子１１ａ、１１ｂは第１及び第２キャパシタセル２０、３０に電気を印加するための一手段であり、上記第１及び第２外部端子の第１面１１ａ−１、１１ｂ−１は第１及び第２キャパシタセル２０、３０とそれぞれ連結され、上記第１及び第２外部端子の第２面１１ａ−２、１１ｂ−２は外部電源と連結されることができる。
【００４２】
図２は、本発明の一実施形態による第１及び第２外部端子１１ａ、１１ｂを示す概略的な斜視図である。
【００４３】
上記第１及び第２外部端子１１ａ、１１ｂの形状は特に制限されず、第１面及び第２面の面積が確保され、絶縁性樹脂との接触面積が広くて外装ケースに容易に埋め込まれる構造に適切に変更されることができる。
【００４４】
上記第１及び第２外部端子１１ａ、１１ｂは外装ケース１０の同一面に形成されることができる。これにより、電気二重層キャパシタパッケージは追加構造物なしにその構造自体で表面実装（ＳＭＴ）が可能である。
【００４５】
上記外装ケース１０は絶縁性樹脂から成ることができ、上記絶縁性樹脂はこれに制限されないが、例えば、ポリフェニレンスルフィド（Ｐｏｌｙｐｈｅｎｙｌｅｎｅ  ｓｕｌｆｉｄｅ、ＰＰＳ）または液晶高分子（Ｌｉｑｕｉｄ  ｃｒｙｓｔａｌ  ｐｏｌｙｍｅｒ、ＬＣＰ）であることができる。これにより、上記電気二重層キャパシタパッケージは高い温度（約２４０〜２７０℃）で行われる表面実装過程で内部構造を保護することができる。
【００４６】
図３ａから図３ｃを参照すると、本発明の一実施形態による外装ケースは上面が開放された収納空間を有する下部ケース１０ａと上記収納空間を覆う上部キャップ１０ｂから成ることができる。
【００４７】
上記下部ケース１０ａはインサート射出成形（ｉｎｓｅｒｔ  ｉｎｊｅｃｔｉｏｎ  ｍｏｌｄｉｎｇ）などにより絶縁性樹脂と第１及び第２外部端子１１ａ、１１ｂを一体に成形して製造することができる。
【００４８】
上記第１及び第２外部端子１１ａ、１１ｂは下部ケース１０ａの同一面に形成されており、下部ケース１０ａの収納空間には第１及び第２外部端子１１ａ、１１ｂの第１面１１ａ−１、１１ｂ−１が露出している。上記同一面は下部ケースの下面と定義されることができ、上記下面は表面実装面として提供されることができる。
【００４９】
上記下部ケース１０ａには隔壁１３が形成されることができ、上記隔壁１３により収納空間が第１及び第２収納空間Ｓ１、Ｓ２に区切られることができる。上記隔壁１３は同一面に形成された第１及び第２外部端子１１ａ、１１ｂの間に位置することができる。
【００５０】
上記下部ケース１０ａの収納空間には第１及び第２キャパシタセル２０、３０が離隔されて配置されることができる。
【００５１】
本実施形態のように、上記第１収納空間Ｓ１には第１キャパシタセル２０が配置され、第２収納空間Ｓ２には第２キャパシタセル３０が配置されることができる。
【００５２】
上記第１キャパシタセル２０は第１外部端子１１ａと電気的に連結され、上記第２キャパシタセル３０は第２外部端子１１ｂと電気的に連結される。上記第１及び第２外部端子１１ａ、１１ｂはキャパシタセル２０、３０を外部電源と電気的に連結するための一手段であることができる。
【００５３】
上記第１キャパシタセル２０は第１及び第２電極２２ａ、２２ｂと、上記第１及び第２電極の間に配置された分離膜２３を含むことができる。また、第２キャパシタセル３０は第１及び第２電極３２ａ、３２ｂと、上記第１及び第２電極の間に配置された分離膜３３を含むことができる。
【００５４】
上記第１キャパシタセルの第１及び第２電極２２ａ、２２ｂと上記第２キャパシタセルの第１及び第２電極３２ａ、３２ｂはそれぞれ対向して配置され、異なる極性を有するようになる。
【００５５】
上記第１及び第２電極２２ａ、２２ｂ、３２ａ、３２ｂは分極性電極物質から成ることができ、上記分極性電極物質は、例えば、比表面積が比較的高い活性炭などを利用することができる。
【００５６】
上記第１キャパシタセルの第１電極２２ａは第１集電体２１ａに形成されることができ、上記第２キャパシタセルの第２電極３２ｂは第２集電体３１ｂに形成されることができる。
【００５７】
上記第１及び第２集電体２１ａ、３１ｂは、それぞれ上記第１及び第２電極２２ａ、３２ｂに電気的信号を伝達するための導電性シートであり、導電性ポリマーやゴムシートまたは金属箔（ｍｅｔａｌｌｉｃ  ｆｏｉｌ）から成ることができる。
【００５８】
本実施形態における第１キャパシタセル２０は、上記第１集電体２１ａにより第１外部端子１１ａと電気的に連結され、第２キャパシタセル３０は上記第２集電体３１ｂにより第２外部端子１１ｂと電気的に連結される。
【００５９】
上記第１及び第２集電体２１ａ、３１ｂは、上記第１及び第２外部端子１１ａ、１１ｂと電気的に連結されるようにその形状を適切に変更することができる。このような形状の変更はキャパシタセルの形状や大きさと外部端子の形状及び位置に影響を受けることができる。
【００６０】
また、図示されたように、上記第１キャパシタセルの第１電極２２ａと上記第２キャパシタセルの第２電極３２ｂは電極物質が集電体の両面に形成された両面電極であることができる。
【００６１】
上記第１及び第２電極２２ａ、３２ｂが第１及び第２集電体２１ａ、３１ｂに形成されない場合は、上記第１及び第２電極物質を固体状態のシートに製造して使用することができ、上記第１電極２２ａは第１外部端子１１ａと連結され、上記第２電極３２ｂは第２外部端子１１ｂと連結されることができる。
【００６２】
上記第１及び第２分離膜２３、３３はイオンが透過できるように多孔性物質から成ることができる。これに制限されないが、例えば、ポリプロピレン、ポリエチレンまたはガラス繊維などの多孔性物質を使用することができる。
【００６３】
上記第１キャパシタセルの第２電極２２ｂと第２キャパシタセルの第１電極３２ａは直列連結用内部端子１２により直列連結される。上記直列連結用内部端子１２は収納空間のうち上面と定義される一面に形成され、上記第１及び第２電極２２ｂ、３２ａを直列連結することができる。
【００６４】
上記直列連結用内部端子は、導電性に優れた材料であれば、特に制限されず、例えば、導電性ポリマーやゴムシートまたは金属箔（ｍｅｔａｌｌｉｃ  ｆｏｉｌ）から成ることができる。
【００６５】
図３ｂ及び図３ｃに図示されたように、上記直列連結用内部端子１２は上部キャップ上に形成され、水平配置された第１キャパシタセルの第２電極２２ｂと第２キャパシタセルの第１電極３２ａを直列連結することができる。
【００６６】
本実施形態による第１キャパシタセルの第２電極２２ｂと第２キャパシタセルの第１電極３２ａは直列連結用内部端子１２により直列連結され、一対の電極を形成する。これにより本実施形態による電気二重層キャパシタパッケージは１つのパッケージ内で直列連結が可能で、耐電圧及び動作電圧が増加することができる。
【００６７】
図４ａから図４ｃは、本発明の一実施形態による電気二重層キャパシタパッケージの製造方法を説明するための工程別断面図である。
【００６８】
まず、図４ａに図示されたように、開放された収納空間を有し、それぞれ上記収納空間に露出する第１面１１ａ−１、１１ｂ−１と外部領域に露出する第２面１１ａ−２、１１ｂ−２を有するように第１及び第２外部端子１１ａ、１１ｂが埋め込まれた下部ケース１０ａを形成する。
【００６９】
上記下部ケース１０ａには、上記収納空間を区切るように第１外部端子１１ａ及び第２外部端子１１ｂの間に隔壁１３を形成することができる。
【００７０】
上記収納空間は、上記隔壁１３により第１及び第２収納空間Ｓ１、Ｓ２に区切られることができる。
【００７１】
上記下部ケース１０ａを形成する方法は、絶縁性樹脂と第１及び第２外部端子１１ａ、１１ｂを一体に成形し、上記絶縁性樹脂に第１及び第２外部端子１１ａ、１１ｂが埋め込まれる方法であれば、特に制限されない。例えば、インサート射出成形（ｉｎｓｅｒｔ  ｉｎｊｅｃｔｉｏｎ  ｍｏｌｄｉｎｇ）を利用することができる。
【００７２】
より具体的に、所望する下部ケースの形状を有する金型内に第１及び第２外部端子を配置し、上記金型内に絶縁性樹脂を充填する。金型に充填された絶縁性樹脂は金型内で冷却または架橋により第１及び第２外部端子とともに固化される。インサート射出成形により他の材質を有する絶縁性樹脂及び第１及び第２外部端子は一体化されることができる。
【００７３】
次に、図４ｂに図示されたように、上記下部ケース１０ａの第１及び第２収納空間Ｓ１、Ｓ２にそれぞれ第１及び第２キャパシタセル２０、３０を配置する。このとき、上記収納空間に露出した第１及び第２の外部端子１１ａ、１１ｂと電気的に連結されるように第１及び第２キャパシタセル２０、３０を実装する。
【００７４】
より具体的に、上記第１及び第２外部端子の第１面が上記収納空間に露出し、上記第１面と上記第１及び第２キャパシタセルが電気的に連結される。
【００７５】
上記第１キャパシタセル２０は第１及び第２電極２２ａ、２２ｂと、上記第１及び第２電極の間に分離膜２３を配置して設けることができる。また、第２キャパシタセル３０は第１及び第２電極３２ａ、３２ｂと、上記第１及び第２電極の間に分離膜３３を配置して設けることができる。
【００７６】
また、上記第１キャパシタセルの第１電極２２ａは第１集電体２１ａに形成されることができ、上記第２キャパシタセルの第２電極３２ｂは第２集電体３１ｂに形成されることができる。
【００７７】
上記第１及び第２キャパシタセル２０、３０を第１及び第２収納空間Ｓ１、Ｓ２に配置する段階で、上記第１キャパシタセル２０の第１集電体２１ａを上記第１外部端子１１ａと電気的に連結することができる。また、第２キャパシタセル３０の第２集電体３１ｂを上記第２外部端子１１ｂと電気的に連結することができる。
【００７８】
上記第１及び第２集電体２１ａ、３１ｂは、上記第１及び第２外部端子１１ａ、１１ｂと電気的に連結されるようにその形状を適切に変更することができる。
【００７９】
また、図示しなかったが、上記第１及び第２電極が第１及び第２集電体に形成されない場合、上記第１及び第２電極物質を固体状態のシートに製造して使用することができ、上記第１電極は第１外部端子と連結され、上記第２電極は第２外部端子と連結されることができる。
【００８０】
次に、図４ｃに図示されたように、下部ケース１０ａの第１及び第２収納空間Ｓ１、Ｓ２上に電解液を充填する。上記電解液は水系電解液または非水系電解液を使用することができる。その後、上記第１及び第２収納空間Ｓ１、Ｓ２を覆うように上部キャップ１０ｂを上記下部ケース１０ａ上に装着する。
【００８１】
直列連結用内部端子１２は上部キャップ１０ｂ上に形成されることができる。上部キャップ１０ｂの装着により上記水平配置された第１キャパシタセルの第２電極２２ｂと第２キャパシタセルの第１電極３２ａ上に形成されることができる。これにより第１キャパシタセル２０と第２キャパシタセル３０は直列連結されることができる。
【００８２】
また、図示しなかったが、上記水平配置された第１及び第２キャパシタセル上に直列連結用内部端子を形成し、その後、上部キャップを装着することができる。
【００８３】
本実施形態による電気二重層キャパシタパッケージは１つのパッケージ内で直列連結が可能で、耐電圧及び動作電圧が増加することができる。
【００８４】
本発明は上述の実施形態及び添付の図面により限定されず、添付の請求の範囲により限定される。従って、請求の範囲に記載された本発明の技術的思想から外れない範囲内で当技術分野の通常の知識を有する者により多様な形態の置換、変形及び変更が可能で、これも本発明の範囲に属する。
【符号の説明】
【００８５】
１０  外装ケース
１１ａ、１１ｂ  第１及び第２外部端子
１２  直列連結用内部端子
１３  隔壁
２０、３０  第１及び第２キャパシタセル
２１ａ、３１ｂ  第１及び第２集電体
２２ａ、３２ａ  第１電極
２２ｂ、３２ｂ  第２電極
２３、３３  分離膜
【図１ａ】
2011243944.tif 000003
【図１ｂ】
2011243944.tif 000004
【図２】
2011243944.tif 000005
【図３ａ】
2011243944.tif 000006
【図３ｂ】
2011243944.tif 000007
【図３ｃ】
2011243944.tif 000008
【図４ａ】
2011243944.tif 000009
【図４ｂ】
2011243944.tif 000010
【図４ｃ】
2011243944.tif 000011